【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
患者の身体内部の構造を測定するための装置であって、前記装置は、
環状の管腔を規定し、前記環状の管腔内に配置される可撓性の細長い部材を有するカテーテルであって、前記可撓性の細長い部材はガイドワイヤを受けるように構成される中心管腔を規定し、前記環状の管腔及び前記中心管腔は前記可撓性の細長い部材によって同心円状にアラインされ、分離される、カテーテルと、
前記細長い部材の遠位部に位置される撮像装置と、
前記環状の管腔内の前記細長い部材の周辺に捲回される可撓性のＸ線不透過性部材であって、前記Ｘ線不透過性部材は、第一の密巻セクション、第二の密巻セクション、及び疎巻セクションを有する部材を含む、可撓性のＸ線不透過性部材と
を有し、
前記第一及び第二の密巻セクション並びに前記疎巻セクションは、前記第一及び第二の密巻セクションが前記疎巻セクションによって互いから隔てられるように前記第一及び第二の密巻セクションの間に位置される前記疎巻セクションと交互に配置され、
前記第一及び第二の密巻セクションはＸ線画像において、前記患者の身体内部の構造が前記疎巻セクションによって規定される前記第一及び第二の密巻セクションの間の距離に基づいて前記Ｘ線画像において測定され得るように、前記疎巻セクションより顕著に視覚化される、
該装置。
【請求項２】
請求項１の装置であって、前記Ｘ線不透過性部材が前記細長い部材の前記遠位部の周辺に捲回される、該装置。
【請求項３】
請求項１の装置であって、前記密巻セクションは、前記疎巻セクションよりもＸ線不透過性がより大きい領域を含む、該装置。
【請求項４】
請求項１の装置であって、前記密巻セクションは閉じたピッチの領域を含み、及び前記疎巻セクションは開いたピッチの領域を含む、該装置。
【請求項５】
請求項１の装置であって、前記細長い部材は外壁を含み、及び前記Ｘ線不透過性部材は前記外壁内に配置される、該装置。
【請求項６】
請求項１の装置であって、前記密巻セクションは、疎巻セクションによって互いに均一に隔てられている、該装置。
【請求項７】
請求項６の装置であって、前記密巻セクションは均一な長さを有する、該装置。
【請求項８】
請求項６の装置であって、前記疎巻セクションは均一な長さを有する、該装置。
【請求項９】
請求項１の装置であって、前記細長い装置は内側管状部材と外側管状部材とを含み、前記内側管状部材は前記中心管腔を規定し、並びに前記外側管状部材は前記内側管状部材を囲み、及び前記内側管状部材と前記外側管状部材との間に環状の管腔を規定する、該装置。
【請求項１０】
請求項９の装置であって、前記Ｘ線不透過性部材は、前記内側管状部材と前記外側管状部材との間にある前記環状の管腔内に配置される、該装置。
【請求項１１】
請求項９の装置であって、前記外側管状部材は、前記内側管状部材を見ることができる光学的に透明な材料から構成される、該装置。
【請求項１２】
請求項１の装置であって、前記Ｘ線不透過性部材は第一端から第二端まで延在し、並びに前記第一端及び前記第二端にて前記細長い部材に固定される、該装置。
【請求項１３】
請求項１の装置であって、前記撮像装置は撮像装置ハウジング上に配置され、及び前記Ｘ線不透過性部材は、前記撮像装置ハウジングの隣、且つ前記細長い部材の前記遠位部上に配置される、該装置。
【請求項１４】
請求項１の装置であって、前記撮像装置は超音波トランスデューサを含む、該装置。
【請求項１５】
請求項１４の装置であって、前記Ｘ線不透過性部材の前記密巻セクションは、前記撮像装置によって超音波的に認識可能である、該装置。
【請求項１６】
請求項１の装置であって、前記細長い部材の前記遠位部上に配置された膨張可能な装置を更に含む、該装置。
【請求項１７】
請求項１６の装置であって、前記膨張可能な装置が前記Ｘ線不透過性部材の周辺に配置される、該装置。
【請求項１８】
請求項１６の装置であって、前記膨張可能な装置がバルーンを含む、該装置。
【請求項１９】
請求項１６の装置であって、前記膨張可能な装置がステントを含む、該装置。
【請求項２０】
請求項１１の装置であって、前記内側管状部材が複数のインク状マーカーを前記細長い部材の前記近位部に含む、該装置。
【請求項２１】
患者の身体内部の構造を特徴付けるための方法であって、前記方法は、
環状の管腔を規定し、前記環状の管腔内に配置される細長い部材を有するカテーテルを前記患者の身体に挿入するステップであって、前記細長い部材はガイドワイヤを受けるように構成される中心管腔を規定し、前記環状の管腔及び前記中心管腔は前記細長い部材によって同心円状にアラインされ、分離され、前記カテーテルは、撮像装置及び前記カテーテルの遠位部において前記環状の管腔内に位置されるＸ線不透過性マーカー・コイルを更に有し、前記Ｘ線不透過性マーカー・コイルは、一定の長さの直線状の間隔で隔てられる複数の均一に隔てられたＸ線不透過性密巻セクションを有する部材を含む、ステップと、
前記細長い部材の前記Ｘ線不透過性マーカー・コイルを前記構造上の第一の関心ポイントの隣に配置するステップと、
第一のＸ線不透過性密巻セクションを前記構造の前記第一の関心ポイントで観察するステップと、
前記第一のＸ線不透過性密巻セクションが前記構造の第二の関心ポイントに位置されるように前記構造を通じて前記細長い部材の前記遠位部を進入させるステップと、
第二のＸ線不透過性密巻セクションを前記構造の前記第一の関心ポイントで観察するステップと、
前記第一のＸ線不透過性密巻セクションと前記第二のＸ線不透過性密巻セクションとを隔てている前記間隔の数をカウントするステップと、
前記第一のＸ線不透過性密巻セクションと前記第二のＸ線不透過性密巻セクションとを隔てている前記間隔の数を直線測定値に変換することによって、前記構造の前記第一の関心ポイントと前記第二の関心ポイントとの間の直線距離を計算するステップと、
前記撮像装置を用いて前記構造を撮像するステップと
を有する、方法。
【請求項２２】
蛍光透視で視覚化され得る前記Ｘ線不透過性密巻セクションの数及び蛍光透視における互いからのそれらの相対距離を分析することによって前記構造の湾曲の平面を評価するステップを更に有する、請求項２１に記載の方法。
【請求項２３】
前記撮像装置を用いて前記Ｘ線不透過性マーカー・コイルを撮像するステップを更に有する、請求項２１に記載の方法。
【請求項２４】
前記構造の前記第一の関心ポイントから前記構造の前記第二の関心ポイントまで一定のレートで前記撮像装置を進める間、撮像することによって前記構造の前記第一の関心ポイントと前記第二の関心ポイントとの間の直線距離を見積もるステップと、前記第一の関心ポイントから前記第二の関心ポイントまで進めるための時間間隔及び前記一定のレートに基づいて前記直線距離を計算するステップとを更に有する、請求項２３に記載の方法。
【請求項２５】
前記撮像装置を用いて前記構造を撮像することによって前記構造の組織の健康状態を評価するステップを更に有する、請求項２１に記載の方法。
【請求項２６】
前記第一のＸ線不透過性密巻セクションと前記第二のＸ線不透過性密巻セクションとを隔てている前記間隔の数を変換することによって計算される前記構造の前記第一の関心ポイントと前記第二の関心ポイントとの間の直線距離の精度を確認するステップを更に有する、請求項２１に記載の方法。
【請求項２７】
前記構造は解剖学的損傷及び手術移植部の少なくとも一つを有する、請求項２１に記載の方法。
【請求項２８】
前記Ｘ線不透過性要素は少なくとも二つの密巻セクション及び少なくとも二つの疎巻セクションを有する前記部材を含む、請求項１に記載の装置。
【請求項２９】
前記疎巻セクションは、前記第一の密巻セクションよりも多い数の巻線を有する、請求項１に記載の装置。
【請求項３０】
前記疎巻セクションは、前記第一及び第二の密巻セクションが0.5cmと5cmとの間で隔てられるように、0.5cmと5cmとの間の値を有する、請求項１に記載の装置。
【請求項３１】
前記疎巻セクションは、前記第一及び第二の密巻セクションが1cmで隔てられるように、1cmの値を有する、請求項１に記載の装置。